(57)【特許請求の範囲】
【請求項１】
少なくとも木造建築物の基礎体と、前記基礎体の上面に固定される土台と、前記土台上面に固定される複数の縦材と、前記複数の縦材に固定される横材と、を備え、前記縦材及び前記横材を介して固定される内壁の屋外側へ構築される外張り断熱構造において、
その下端側が前記土台に固定され、その上端側が前記横材と同じ高さまたは上方の前記木造建築物に固定される複数のふかし材と、前記複数のふかし材に張り渡されるメッシュ材と、前記内壁と前記メッシュ材との間に充填され、前記横材の屋外側の側面を覆う断熱材と、を有し、前記断熱材の厚みは、前記木造建築物の下層よりも上層の方が厚いことを特徴とする外張り断熱構造。
【請求項２】
前記横材は軒桁であり、前記軒桁の上面には複数の垂木が固定され、前記ふかし材の上端側は前記土台よりも屋外側の前記垂木に固定されることを特徴とする請求項１に記載の外張り断熱構造。
【請求項３】
前記横材は胴差しであり、前記胴差しの上方には前記木造建築物の軒先が形成され、前記ふかし材の上端側は前記土台よりも屋外側の前記軒先に固定されることを特徴とする請求項１に記載の外張り断熱構造。
【請求項４】
前記ふかし材の下端側は前記土台の屋外側の側面に対して固定され、前記ふかし材の一部は前記基礎体上面に配置され、前記メッシュ材は前記ふかし材の屋外側に張り渡され、前記土台と前記メッシュ材との間には前記断熱材が配設されるスペースを有することを特徴とする請求項１から請求項３のいずれか１項に記載の外張り断熱構造。
【発明の詳細な説明】
【技術分野】
【０００１】
本発明は、木造建築物の外張り断熱構造に関し、特に、室内外の気温差が大きくなる木造建築物の上層に向けて断熱層を厚くし、断熱層が自重により沈下し難くなるとともに、室内からの熱の放出を防止する外張り断熱構造に関する。
【背景技術】
【０００２】
従来の既存の木造建築物の外壁に取り付けられる外張り断熱構造として、以下の構造が知られている。図５（Ａ）に示すように、既存壁１０１は、内装材１０２と、内装材１０２の外面に固定された間柱１０３と、間柱１０３の外面に固定された面材１０４と、を有している。そして、面材１０４には、補強材として横桟１０５がビス１１１（図５（Ｂ）参照）によって固定されている。横桟１０５を挟み込むように、上断熱パネル１０６及び下断熱パネル１０７が面材１０４に接着剤を介して固定されている。
【０００３】
図５（Ｂ）に示すように、上下断熱パネル１０６、１０７は、横桟１０５の２倍の厚みを有しており、横桟１０５の外面には、両パネル１０６、１０７間の隙間に隙間充填用断熱片１０８が埋め込まれている。そして、横桟１０５の外側には、隙間充填用断熱片１０８に沿って横胴縁１０９が配設され、横胴縁１０９は、隙間充填用断熱片１０８を貫通し横桟１０５に到達するビス１１０により固定されている。尚、横桟１０５は間柱１０３に到達するビス１１１により固定されている。
【０００４】
そして、壁外装材１１２が、両パネル１０６、１０７及び横胴縁１０９を覆うように配設され、金属固定具（図示せず）により横胴縁１０９に固定されている。この構造により、既存壁１０１に対して外張り断熱構造が実現されている（例えば、特許文献１参照。）。
【０００５】
また、従来の外張り断熱の木造構造として、以下の構造が知られている。図６（Ａ）に示すように、通常、隣り合う通柱１２１と通柱１２２との間に配置される複数の間柱１２３が、断熱パネル１２４よりも屋外側へ配設され、通柱１２１と通柱１２２との間の空間が屋内側へ開放されている。そして、断熱パネル１２４は、板状の断熱材１２４ｂと、断熱材１２４ｂの屋内側の主面に取り付けられた内装面材１２４ａと、断熱材１２４ｂの屋外側の主面に取り付けられた外装面材１２４ｃと、を有している。図示したように、間柱１２３の屋外側の側面には外装材１２５が固定されている。
【０００６】
図６（Ｂ）に示すように、土台１２６は基礎１２７の上に載置され、アンカーボルト等を介して基礎１２７に固定されている。通柱１２１は土台１２６の上に立てられている。そして、土台１２６の屋外側の側面には受材１２８が固定され、受材１２８の一部は基礎１２７の上面に位置している。一方、隣り合う通柱１２１、１２２の間には、胴差し１２９が水平方向に差し渡されて固定されている。胴差し１２９の屋外側の側面には受材１３０が固定されている。図示したように、間柱１２３の上端側は受材１３０に固定され、間柱１２３の下端側は受材１２８に固定されている（例えば、特許文献２参照。）。
【先行技術文献】
【特許文献】
【０００７】
【特許文献１】特許第５３２７６６５号公報
【特許文献２】特開２０１５−２０９６９９号公報
【発明の概要】
【発明が解決しようとする課題】
【０００８】
上述したように、木造建築物の外壁の断熱構造として、隣り合う通柱間や通柱と間柱間にグラスウール等の断熱材を充填する充填断熱構造や通柱や間柱の屋外側の側面に発泡スチロール等の発泡系のパネル断熱材を張り合わせる外張り断熱構造等がある。
【０００９】
図５（Ａ）及び（Ｂ）に示す外張り断熱構造では、既存壁１０１の屋外側の面材１０４に補強材としての横桟１０５が固定され、横桟１０５を挟み込むように、上断熱パネル１０６及び下断熱パネル１０７が面材１０４に接着剤を介して固定されている。そして、横桟１０５の配置領域では、更に屋外側に、隙間充填用断熱片１０８及び横胴縁１０９が重ねて配設されている。この構造により、既存壁１０１に対して外張り断熱構造が実現されている。
【００１０】
しかしながら、上断熱パネル１０６及び下断熱パネル１０７の配置領域では、その厚い断熱材により断熱効果が得られるが、横桟１０５の配置領域では、主に、木材が重ねて配設されている。具体的には、上下断熱パネル１０６、１０７を用いる外張り断熱構造では、上下断熱パネル１０６、１０７や壁外装材１１２を支えるため、横桟１０５や横胴縁１０９が重ねて配設されている。上述した外張り断熱構造では、横桟１０５と横胴縁１０９との間に隙間充填用断熱片１０８が配置されているが、上下断熱パネル１０６、１０７よりも大幅にその厚みも薄く、断熱効果が得られ難く、熱橋となってしまう恐れがある。
【００１１】
また、隙間充填用断熱片１０８を横桟１０５の形状に合わせて加工した後、上下断熱パネル１０６、１０７の隙間に埋め込む作業が必要となり、現場作業が煩雑化し、製造コストを低減し難いという課題もある。一方、熱橋としての課題を解決するため、横桟１０５の厚みを薄くし、隙間充填用断熱片１０８の厚みを厚くした場合には、横胴縁１０９を固定するビス１１０の横桟１０５への十分な打ち込み深さが確保されない恐れがある。そして、横胴縁１０９には壁外装材１１２が固定されるが、十分な取り付け強度が得られ難くなってしまう恐れがある。
【００１２】
図６（Ａ）及び（Ｂ）に示す外張り断熱構造においても、図６（Ｂ）に示すように、受材１２８、１３０の配置領域では、断熱パネル１２４よりも屋外側へ配置される複数の間柱１２３及び壁外装材１１２の取り付け強度を確保するため、間柱１２３は受材１２８、１３０に固定されている。この構造により、土台１２６、受材１２８及び間柱１２３が連続した熱橋となり、また、胴差し１２９、受材１３０及び間柱１２３が連続した熱橋となり、断熱効果が低減してしまうという課題がある。
【００１３】
更には、上述した図５及び図６に示す外張り断熱構造では、それぞれ断熱パネル１０１、１０６、１０７、１２４を用いるため、木造建築物の下層から上層に向けて全て同じ厚みの断熱構造となっている。そして、木造建築物では、特に、暖房時においては、温かい空気は室内の上方へ集まるため、木造建築物の上層になる程、屋外との気温差が大きくなり、室内の熱が屋外へと放出され易く、結露等も発生し易くなる。また、木造建築物の上層には、軒桁等の太い木材が使用され、これらの木材が断熱材により覆わない構造では、上記屋外への熱の放出を防止し難い構造となってしまう恐れがある。
【００１４】
また、上述したように、木造建築物の下層から上層に向けて全て同じ厚みの断熱構造では、断熱厚みが必要とされる上層において放熱し易く、断熱効果が低減し易いという課題がある。一方、この課題を解決するために、木造建築物の上層の断熱厚みに合わせて断熱パネルを選択した場合には、木造建築物の下層では、必要以上の断熱厚みを有することとなり、材料コストが高くなり、建築コストを低減し難いという課題がある。更には、断熱パネルが厚くなることで、断熱パネル等を支える横桟１０５や横胴縁１０９も厚くなり、上記熱橋の課題への対策も必要となる。
【００１５】
本発明は、上記の事情に鑑みてなされたものであり、グラスウール等のブローイングにより充填される断熱材を使用し、木造建築物の上層に向かう程、断熱材の厚みを厚くすることで、断熱材の自重による沈下を大幅に低減するとともに断熱効果を向上させる外張り断熱構造を提供することにある。
【課題を解決するための手段】
【００１６】
本発明の外張り断熱構造では、少なくとも木造建築物の基礎体と、前記基礎体の上面に固定される土台と、前記土台上面に固定される複数の縦材と、前記複数の縦材に固定される横材と、を備え、前記縦材及び前記横材を介して固定される内壁の屋外側へ構築される外張り断熱構造において、その下端側が前記土台に固定され、その上端側が前記横材と同じ高さまたは上方の前記木造建築物に固定される複数のふかし材と、前記複数のふかし材に張り渡されるメッシュ材と、前記内壁と前記メッシュ材との間に充填され、前記横材の屋外側の側面を覆う断熱材と、を有し、前記断熱材の厚みは、前記木造建築物の下層よりも上層の方が厚いことを特徴とする。
【００１７】
また、本発明の外張り断熱構造では、前記横材は軒桁であり、前記軒桁の上面には複数の垂木が固定され、前記ふかし材の上端側は前記土台よりも屋外側の前記垂木に固定されることを特徴とする。
【００１８】
また、本発明の外張り断熱構造では、前記横材は胴差しであり、前記胴差しの上方には前記木造建築物の軒先が形成され、前記ふかし材の上端側は前記土台よりも屋外側の前記軒先に固定されることを特徴とする。
【００１９】
また、本発明の外張り断熱構造では、前記ふかし材の下端側は前記土台の屋外側の側面に対して固定され、前記ふかし材の一部は前記基礎体上面に配置され、前記メッシュ材は前記ふかし材の屋外側に張り渡され、前記土台と前記メッシュ材との間には前記断熱材が配設されるスペースを有することを特徴とする。
【発明の効果】
【００２０】
本発明の外張り断熱構造は木造建築物の内壁の屋外側に構築され、外張り断熱構造のふかし材の上端側は横材と同じ高さまたは上方に位置する木造建築物に固定されている。そして、外張り断熱構造の断熱材の厚みは、木造建築物の下層よりも上層の方が厚くなるように配設されている。この構造により、外張り断熱構造が長年に渡り使用されても、断熱材が自重により大幅に沈下し難い構造となり、断熱材が横材の屋外側を覆うことで、木造建築物としての熱橋が大幅に低減され、断熱性能が大幅に向上される。
【００２１】
また、本発明の外張り断熱構造では、横材が軒桁の場合、外張り断熱構造のふかし材の上端側は、土台よりも屋外側の垂木に対して固定される。この構造により、断熱材は木造建築物の下層よりも上層の方が厚くなり、断熱材は軒桁の屋外側を覆うことができる。
【００２２】
また、本発明の外張り断熱構造では、横材が胴差しであり、その上方の適した位置に垂木がない場合でも、胴差し上方の適した位置にある軒先を利用してふかし材の上端側を固定することができる。この構造により、断熱材は木造建築物の下層よりも上層の方が厚くなり、断熱材は胴差しの屋外側を覆うことができる。
【００２３】
また、本発明の外張り断熱構造では、ふかし材の下端側は土台の屋外側の側面に固定され、その一部が基礎体の上面に配置されている。この構造により、土台とメッシュ材との間に断熱材を配設するスペースを有し、木造建築物としての断熱性能を向上させることができる。
【図面の簡単な説明】
【００２４】
【図１】本発明の一実施形態の外張り断熱構造が構築された木造建築物を説明する断面図である。
【図２】本発明の一実施形態の外張り断熱構造が構築された木造建築物を説明する斜視図である。
【図３】本発明の一実施形態の（Ａ）外張り断熱構造が構築された木造建築物を説明する斜視図であり、（Ｂ）外張り断熱構造を説明する断面図である。
【図４】本発明の一実施形態の（Ａ）外張り断熱構造が構築された木造建築物を説明する斜視図であり、（Ｂ）外張り断熱構造を説明する断面図である。
【図５】従来の外張り断熱構造が構築された木造建築物を説明する（Ａ）斜視図、（Ｂ）断面図である。
【図６】従来の外張り断熱構造が構築された木造建築物を説明する（Ａ）斜視図、（Ｂ）断面図である。
【発明を実施するための形態】
【００２５】
以下、本発明の一実施形態に係る外張り断熱構造を図面に基づき詳細に説明する。尚、一実施形態の説明の際には、同一の部材には原則として同一の符番を用い、繰り返しの説明は省略する。
【００２６】
図１は、本実施形態の木造建築物１の概略を示す断面図である。木造建築物１は、例えば、平屋構造であり、木造建築物１の内壁２（図３（Ｂ）参照）の屋外側には外張り断熱構造３が構築されている。図１では、木造建築物１の左右方向の２側面の内壁２に対し外張り断熱構造３が構築されているが、図示していないその他の側面の内壁２に対しても外張り断熱構造３が構築されている。そして、外張り断熱構造３の屋外側には外壁パネル４が取り付けられている。尚、以下の説明では、例えば、木造建築物１の縦材としては、通柱５、間柱６等があり、木造建築物１の横材としては、軒桁１１、胴差し１２、小屋梁１６等がある。
【００２７】
詳細は後述するが、外張り断熱構造３は、主に、通柱５及び間柱６よりも屋外側へと配設された複数の外張り断熱用の木材（以下、「ふかし材７」と呼ぶ。）と、ふかし材７の屋外側に配設させるメッシュ材８と、内壁２とメッシュ材８との間に充填されるグラスウール等の断熱材９と、を有している。尚、メッシュ材８は、ふかし材７の屋外側の側面に配設される場合に限定されるものではなく、ふかし材７の屋内側へ配設される場合でも良い。
【００２８】
砂状のハッチングにて示すように、外張り断熱構造３では、木造建築物１の上層へ向かう程、断熱材９の厚みが厚くなり、例えば、内壁２に対して逆三角形形状に構築されている。ここで、木造建築物１では、外張り断熱構造３を有しない場合には、通柱５及び間柱６は、その柱５、６間に断熱材（図示せず）が配設されるため熱橋となる。また、木造建築物１の土台１０、軒桁１１や胴差し１２等も断熱材により覆われていないため熱橋となる。そして、通柱５、間柱６、土台１０、軒桁１１や胴差し１２は、他の柱に比較しても太く、露出する面積も大きくなり、木造建築物１としての断熱性能を悪化させてしまう。
【００２９】
そこで、本実施形態の木造建築物１では、ふかし材７の下端側は土台１０に対してビス等により固定され、ふかし材７の上端側は軒桁１１の上面に固定される垂木１３に対してビス等により固定されている。そして、断熱材９が、少なくとも通柱５、間柱６、土台１０、軒桁１１や胴差し１２を屋外側から覆うことで、木造建築物１としての熱橋が大幅に低減され、断熱性能が大幅に向上される。
【００３０】
特に、木造建築物１の暖房時には、温かい空気は室内の上層へと流れ、集まるため、住人が生活する下層が適温の場合でも、室内の上層は下層よりも温かくなり、室内にて寒暖差が発生する。一方、木造建築物１の屋外では、地面の方が温かく上空へ向かう程寒くなり、室内とは逆の気温状況となる。そして、木造建築物１の上層になる程、屋外との寒暖差により室内の熱が外部へ放出され易くなるが、上述したように、木造建築物１の上層へ向かう程、断熱材９の厚みが厚くなる構造とすることで、木造建築物１の断熱性能が向上される。尚、木造建築物１の下層では、上層よりも屋外との寒暖差が小さくなり、それに対応して断熱材９の厚みを薄くすることが可能となり、材料コストを抑え、建築コストを低減できる。
【００３１】
更には、木造建築物１の右側の側面に示すように、垂木１３が、外壁パネル４よりも、若干、張り出している構造の場合には、ふかし材７の上端側が軒先１４に対して固定されることで、外張り断熱構造３を構築することもできる。そして、軒先１４より上層の木造建築物１には外張り断熱構造３が構築されていないが、断熱材９が、軒先１４下方の胴差し１２までを覆うことで、少しでも木造建築物１の断熱性能が向上される。
【００３２】
尚、木造建築物１の右側の側面において、左側の側面と同様に、垂木１３が外張り断熱構造３が構築できるところまで張り出している場合には、木造建築物１の上層まで外張り断熱構造３を構築することは可能である。
【００３３】
図２は、本実施形態の木造建築物１の概略を示し、外張り断熱構造３のふかし材７が固定される前の状態を示す斜視図である。図３（Ａ）は、本実施形態の木造建築物１の概略を示し、外張り断熱構造３のふかし材７が固定された状態を示す斜視図である。図３（Ｂ）は、図３（Ａ）に示す木造建築物１の外張り断熱構造３の一部を拡大して示す断面図である。図４（Ａ）は、本実施形態の木造建築物１の概略を示し、断熱材９が充填された状態を示す斜視図である。図４（Ｂ）は、図４（Ａ）に示す木造建築物１の外張り断熱構造３の一部を拡大して示す断面図である。
【００３４】
図２では、図１に示す木造建築物１を左側の後方から見た斜視図であり、木造建築物１の一部を図示している。土台１０が、屋外側にスペースを有するように基礎コンクリート１５上に載置され、アンカーボルト等を介して基礎コンクリート１５に固定されている。土台１０上面には通柱５が一定間隔にて立てられ、通柱５の下端側はビス等により土台１０に固定されている。同様に、隣り合う通柱５間にも複数の間柱６が一定間隔にて立てられ、間柱６の下端側はビス等により土台１０に固定されている。一方、通柱５及び間柱６の上端側は、軒桁１１や小屋梁１６にビス等により固定されている。
【００３５】
複数の垂木１３は、例えば、隣り合う通柱５と間柱６と同じ間隔にて軒桁１１や母屋１７の上面にビス等により固定されている。例えば、垂木１３の一端側は、木造建築物１の左側の側面の内壁２（図３（Ａ）参照）よりも張り出し、ふかし材７の固定領域として用いられる。一方、軒桁１１及び母屋１７の一端側は、木造建築物１の後方側の側面の内壁２（図３（Ａ）参照）よりも張り出し、その張り出した領域に固定された垂木１３はふかし材７の固定領域として用いられる。
【００３６】
図３（Ａ）に示す如く、木造建築物１の内壁２の屋外側を囲むように複数のふかし材７が、土台１０及び垂木１３に対して固定されている。上述したように、ふかし材７は、外張り断熱構造３の骨組みを構成する木材である。ふかし材７の下端側は土台１０の屋外側の側面に対してビス等により固定され、ふかし材７の下端側の一部は土台１０より屋外側の基礎コンクリート１５上面に配置されている。一方、ふかし材７は、例えば、隣り合う通柱５と間柱６と同じ間隔にて配設され、ふかし材７の上端側は垂木１３に対してビス等により固定されている。
【００３７】
図３（Ｂ）に示す如く、内壁２は、例えば、内装ボード材２Ａと、グラスウール等の断熱材２Ｂと、構造用合板２Ｃとを有している。内装ボード材２Ａは屋内側からビス等により通柱５や間柱６等に対して固定され、構造用合板２Ｃは屋外側からビス等により通柱５や間柱６等に対して固定されている。そして、断熱材２Ｂは、隣り合う通柱５と間柱６との間であり、内装ボード材２Ａと構造用合板２Ｃにて挟まれた領域に充填されている。
【００３８】
また、図４（Ａ）及び（Ｂ）に示すように、ふかし材７の屋外側の側面には、ブローイング工法により充填される断熱材９が漏れ出さない程度の網目から成るメッシュ材８が張り渡されている。上述したように、ふかし材７は、それぞれビス等により土台１０及び垂木１３に固定されているが、ふかし材７同士はメッシュ材８により繋がれた構造となる。
【００３９】
図３（Ｂ）に示すように、土台１０とメッシュ材８との間には断熱材９が充填されるスペースを有することで、少なくとも土台１０の一部が断熱材９により覆われる構造が実現される。また、軒桁１１とメッシュ材８との間には断熱材９が充填されるスペースを有することで、軒桁１１の大部分が熱橋とならない構造が実現される。
【００４０】
尚、図３（Ａ）に示すように、木造建築物１の後方側の側面においても、垂木１３の傾斜角度に合わせて略三角形形状の構造用合板２Ｃが垂木１３及び小屋梁１６に対してビス等により固定されている。この構造により、その構造用合板２Ｃとメッシュ材８との間には断熱材９が充填されるスペースを有することで、小屋梁１６の大部分が熱橋とならない構造が実現される。
【００４１】
図４（Ａ）に示す如く、木造建築物１の外張り断熱構造３では、内壁２とメッシュ材８との間のスペースにブローイング工法により断熱材９が充填される。断熱材９として、グラスウール、セルローズファイバー、ロックウール等があるが、本実施形態では、例えば、グラスウールを使用する。そして、断熱材９は、外張り断熱構造３の上層から下層に向けてエアーにより充填されるが、メッシュ材８を用いることで、エアーは外部へと抜け、断熱材９が外張り断熱構造３の下層から充填されていく。上述したように、外張り断熱構造３の上層から断熱材９が圧送されることで、断熱材９は密な状態に積層して充填され、沈下し難い構造となる。尚、メッシュ材８は、木造建築部１のコーナー部を覆うように配設されることで、木造建築物１の側面全周に対して、断熱材９を配設することができる。
【００４２】
図４（Ｂ）に示す如く、外張り断熱構造３は、逆三角形形状であり、下層から上層に向けて断熱材９の厚みが厚くなる構造となる。図示した木造建築物１の側面では、ふかし材７の上端側が、軒桁１１上面に配設される垂木１３に対して固定され、その固定箇所は、少なくとも軒桁１１と同じ高さまたは軒桁１１よりも上方に位置していることで、軒桁１１の屋外側の側面は、ほぼ上端まで断熱材９により覆われている。
【００４３】
ここで、上述したように、断熱材９は密な状態に積層して充填され、沈下し難い構造ではあるが、外張り断熱構造３は長年に渡り使用されることで、断熱材９は自重により沈下する。そして、上層の断熱材９の方が、下層の断熱材９よりも沈下する量が少なくなる。外張り断熱構造３は逆三角形形状であり、上層に向かう程、その幅が広くなり、言い換えると、断面積が広くなる分、上層の断熱材９は下層の断熱材９よりも沈下する量が少なくなる。つまり、例えば、下層から上層に向けて同一幅からなる外張り断熱構造の場合と比較して、本実施形態の外張り断熱構造３では、上層の断熱材９が沈下する量が大幅に低減される。
【００４４】
更には、上述したように、ふかし材７の下端側は土台１０の屋外側の側面に対してビス等により固定され、土台１０とメッシュ材８との間には断熱材９が充填されるスペースを有している。そして、断熱材９は、ブローイング工法により充填されることで、断熱パネル材とは異なり、上記土台１０とメッシュ材８との狭い隙間にも確実に充填される。
【００４５】
この構造により、木造建築物１の上層に配設され、熱橋となり易い軒桁１１、胴差し１２や小屋梁１６の大部分の屋外側が断熱材９により覆われ、その断熱材９が長期間の使用に対しても沈下し難い構造となる。そして、木造建築物１は、上層へ向かう程、屋外との寒暖差が大きくなり放熱性の対策が必要であり、軒桁１１、胴差し１２や小屋梁１６等の木材は太く、面積も大きく、熱橋としての影響も大きくなるが、本実施形態の外張り断熱構造３により、その対策が実現される。同様に、断熱材９としての厚みは薄くなるが、土台１０の屋外側の側面の一部も断熱材９により覆われることで、木造建築物１としての断熱性能が向上される。
【００４６】
図示していないが、上述したブローイング工法が終了した後、ふかし材７の屋外側の側面には、メッシュ材８を挟むように通気用の胴縁がビス等により固定され、胴縁に対して透湿防水シート及び外壁パネル４が固定される。
【００４７】
尚、外張り断熱構造３では、ふかし材７の下端側は土台１０に固定され、更に、その一部は基礎コンクリート１５上面に配置されている。更に、ふかし材７同士はメッシュ材８により繋がれた構造となり、内壁２とメッシュ材８との間には断熱材９が密な状態に充填されている。つまり、外張り断熱構造３は、密な状態に充填された断熱材９及びメッシュ材８を介して一体な構造となることで、耐震性にも優れた構造となる。例えば、地震による横揺れが外張り断熱構造３に加わった場合でも、個々のふかし材７はメッシュ材８を介して同じ方向に揺れることで、耐震性にも強い構造となる。
【００４８】
また、図示していないが、ふかし材７の数本が、木造建築物１の出窓用の枠を構成する木材に対してビス等により固定する場合でも良く、この場合には、外張り断熱構造３が、更に、土台１０以外の木造建築物１の頑丈な部分と一体となり、耐震性に優れた構造となる。
【００４９】
また、外張り断熱構造３の形状として、逆三角形形状の場合について説明したが、この場合に限定するものではない。外張り断熱構造３の形状としては、例えば、台形形状の場合でも良く、この場合でも、断熱材９は、木造建築物１の下層よりも上層の方が厚くなることで、上述した効果を得ることができる。その他、本発明の要旨を逸脱しない範囲にて種々の変更が可能である。
【符号の説明】
【００５０】
１  木造建築物
２  内壁
２Ａ  内装ボード材
２Ｂ  断熱材
２Ｃ  構造用合板
３  外張り断熱構造
４  外壁パネル
５  通柱
６  間柱
７  ふかし材
８  メッシュ材
９  断熱材
１０  土台
１１  軒桁
１２  胴差し
１３  垂木
１４  軒先
１５  基礎コンクリート
１６  小屋梁
１７  母屋
【図１】
0006607824.tif 000002
【図２】
0006607824.tif 000003
【図３】
0006607824.tif 000004
【図４】
0006607824.tif 000005
【図５】
0006607824.tif 000006
【図６】
0006607824.tif 000007